(57)【要約】【目的】  足を広く開くことなく、背筋を伸ばした、自然な椅子座の姿勢で、棹側を高く保持して演奏できるギターの支持具を提供する。【構成】  ももに跨乗する台板１上に立設した長い支柱２の上端に、吸着力を強化した吸着具６を載設したギターの支持具Ａ。およびそのギターの支持具Ａと、短い支柱のギターの支持具Ｂを併設する組み合わせのギターの支持具。【選択図】  図１
2005043844.tif 000002
【特許請求の範囲】
【請求項１】
長方形の平板部の両側に、ももに跨乗する形状の曲板を、垂下する方向に伸張して形成した台板１の平面部の上面に、支柱２を立設してなるギターの支持具の台。
【請求項２】
「請求項１」のギターの支持具の台（以下、台という。）３上に、軟質弾性体でなる吸盤本体４に押圧盤５を被蓋し、吸着力を強化する手段を形設してなる吸着具６を載設したギターの支持具。
【請求項３】
ももに跨乗する形状の曲版の台７上に立設した支柱８の上端に、「請求項２」の吸着具６と同じ構造の吸着具９を載設してなるギターの支持具Ｂと「請求項２」のギターの支持具Ａを組み合わせたギターの支持具。
【発明の詳細な説明】
【発明の詳細な説明】
【技術分野】
【０００１】  本発明はギターを演奏するときの、棹側を高く保持するためのギターの支持具に関する。
【背景技術】
【０００２】  いす座でギターを演奏するときの、棹側を高く保持するためのギターの支持具に、図４に示す、株式会社ＩＧＰ発売のギターレストＧがあった。
【非特許文献】「現代ギター」現代ギター社、平成１２年７月号  巻末広告  ギターレストＧは、幅が広いももに跨乗する曲板の台板３０上に、ブラケット３１を突設し、そのブラケット３１の上に、中空部に軸３２を緩挿した中空軸３３の上部に、緩挿した軸３３を任意位置で駐止するねじ３４を貫設した支柱３５を立設してなる台３６の支柱３５の上端に、ギターの側板を挟むクランプ３７を載設したものであった。
【０００３】  ギターレストＧは、ギターにクランプ３７を、台３６をギターの側方に突出させて挟着して着設し、演奏者はいす座して足を広く開き、台板３０を左ももに載上し、開いた右の内ももでギターの共鳴箱の下部を支え、上体を棹側に向けて前傾し、そのギターを抱持して演奏した。
【発明の開示】
【発明が解決しようとする課題】
【０００４】  ギター演奏中、ギターを保持した体が動き、両ひざの間隔が広狭するのは自然であるが、ギターに挟着したギターレストＧの台板３０は、ももに跨乗する形状の円筒面の曲板で、長い支柱３５の先端に着設されていたから、演奏中、両ひざの間隔が変わると、その動きが支柱３５を通じてクランプ３７に伝わり、クランプ３７がギターからはずれて、ギターレストＧがギターから脱落するため、演奏中は両足の間隔をつねに一定に保たなければならなかった。【０００５】  いす座して両足を広く開き、上体を棹側に向けて前傾してギターを抱持する演奏姿勢は、生理的に不自然な姿勢で、女性にふさわしくない演奏姿勢であった。
本発明はギター演奏中、ギターを載上した両ひざの間隔が変わっても、ギターの支持具がギターから脱落せず、両足を広く開かず背筋を伸ばした、自然ないす座の姿勢で、棹側を高く保持して演奏できるギターの支持具を提供する。
【課題を解決するための手段】
【０００６】  図１はギターの支持具Ａの斜視図である。
長方形の平板部の両側に、ももに跨乗する曲面の曲版を、平板部から垂下する方向に伸張して形成した台板１の平板部の上面に、ブラケット１１を突設し、そのブラケット１１に、中空部に軸１２を緩挿し、上部に緩挿された軸１２を任意位置で駐止するねじ１３を貫設した中空軸１４でなる支柱２を立設し、その支柱２の上端に、中心に軸１５を植設した軟質弾性体でなる吸盤本体４に、押圧板５を被蓋し、カム１６を倒して軸１５を押圧盤５側に引き寄せ、吸盤本体４の吸着力を強化する手段を形設してなる吸着具６を載設したものである。【０００７】  演奏に先立ち、以上のギターの支持具Ａの吸着具６をギターの共鳴胴の裏面板の適切な位置に吸着してから、演奏者は、いす座してそのギターを持ち、ギター支持具Ａのカム１６を起こして吸着具６の吸着力を弱めて、台３を左右に揺動可能の状態にして、ギターを演奏するように棹側を高く保持して構え、台板１が左ももに載上するように、支柱２の長さを調節し、台板１を左ももに載上させて、吸着具６のカム１６を倒して吸着力を強化して、ギターの支持具Ａをギターに着設する。
【実施例１】
【０００８】  図２はギターの支持具Ｂである。
ギターの支持具Ｂは、ももに跨乗する曲板の台板７上に短い支柱８を立設し、その支柱８の上端に吸着具９を載設してなるギターの支持具で、ギターに着設したギターの支持具Ａの着設部の下方に着設するギターの支持具である。
【実施例２】
【０００９】  図３は、ギターに、ギターの支持具Ａとギターの支持具Ｂを着設したときの背面図である。
ギターの支持具Ａの吸着具６を、ギターの共鳴胴の裏面板の適切な位置に吸着して演奏者は、足を広く開かず背筋を伸ばした、自然ないす座の姿勢で、そのギターを持ち、ギター支持具Ａのカム１５を起こして吸着具６の吸着力を弱め、台３が左右に揺動可能な状態にして、ギターの下部を右ももの上にのせ、ギターを演奏するように棹側を高く保持して構え、台板１が左ももに載上するように、支柱２の長さを調節して、台板１を左ももに載上し、吸着具６のカム１６を倒して吸着力を強化して、ギターの支持具Ａをギターに着設し、ギターの支持具Ｂを、台板が右ももの上に載上するようにギターの裏板に吸着して着設する。【００１０】  以上のギターの支持具Ａとギターの支持具Ｂを着設したギターを両ももの上に載上すると、ギターは棹側を高く、そのまま演奏できるように両ももに載上している。
なお、台板の幅を狭くして、演奏中のギターの前後の角度の変化に適応しやすくしている。
【発明の効果】
【００１１】  ギターの支持具Ａを単独使用した場合、いす座でも正座で、ギターを掉側を高く保持して演奏でき、台板が広くなっているから、あぐらで、ギターを棹側を高く保持して演奏できるようになった。
【００１２】  ギターの支持具Ａおよびギターの支持具Ｂを着設したギターを、いす座した演奏者の両左ももの上に、ギターの支持具Ａの台板１を、右ももの上に、ギターの支持具Ｂの台板７を載上すると、ギターは両ももの上に棹側を高く、そのまま演奏できるように載上し、しかも、ギターの支持具Ａの単独使用時より格段に安定した状態で載上しているから、ももの上のギターを、足を広く開くことなく背筋を伸ばした、いす座の自然な姿勢で演奏できるようになった。
【００１３】  台板１は中間に平面部を形成していて、演奏中のギターの荷重は主に右もものギターの支持具Ｂにかかり、左もものギターの支持具Ａにはほとんど掛からないから、演奏中、両ももの間隔の変化で、ギターの支持具がギターから外れるおそれがなくなり、両ももの間隔の変化を気にせずに演奏できるようになった。
【図面の簡単な説明】
【００１４】
【図１】  支柱が長いギターの支持具Ａの、一部断面の斜視図である。
【図２】  支柱が短いギターの支持具の斜視図である。
【図３】  ギターの支持具Ａとギターの支持具Ｂを、ギターに併設したときの背面図である。
【図４】  従来のギターレストの斜視図である。
【符号の説明】
【００１５】  Ａ  ギターの支持具
Ｂ  （支柱が短い）ギターの支持具
Ｇ  ギターレスト
１  台板
２  支柱
３  台
４  吸盤本体
５  押圧盤
６  吸着具
７  台板
８  短支柱
９  吸着具
１１  ブラケット
１２  軸
１３  ねじ
１４  中空軸
１５  軸
１６  カム
１７  カム
３０  台板
３１  ブラケット
３２  軸
３３  中空軸
３４  ねじ
３５  支柱
３６  台
３７  クランプ
【図１】
2005043844.tif 000003
【図２】
2005043844.tif 000004
【図３】
2005043844.tif 000005
【図４】
2005043844.tif 000006